(57)【要約】    【課題】  制御対象機器５１への影響なしに、保守管理データを表示させる。    【手段】  モード切替用ディップスイッチ４４が、多機能スイッチ制御対象機器５１と液晶上部スイッチ４１の間に直列接続されている。したがって、モード切替用ディップスイッチ４４をメンテナンスモードに切り換えることにより、液晶上部スイッチ４１と多機能スイッチ制御対象機器５１とが切り離されるので、液晶上部スイッチ４１を操作しても、多機能スイッチ制御対象機器５１への影響がない。モード切替用ディップスイッチ４４が、メンテナンスモードである場合には、液晶上部スイッチ４１の入力パターンを判断して、保守管理データをＬＣＤ３３に表示する。【選択図】  図１
2010232128.tif 000002
【特許請求の範囲】
【請求項１】
接続された制御対象機器を選択状態（オン）または非選択状態（オフ）に切り替えるための第１の入力スイッチ、
前記選択状態を表す選択状態画像データおよび前記非選択状態を表す非選択状態画像データを記憶する記憶部、
前記第１の入力スイッチが、前記選択状態である場合には前記選択状態画像データを表示部に表示し、前記第１の入力スイッチが前記非選択状態である場合には前記非選択状態画像データを表示部に表示する制御部、
を備えた表示機能付きスイッチ装置において、
前記第１の入力スイッチを前記制御対象機器と切り離した非制御モードに切り替える第２の入力スイッチを備え、
前記制御部は、保守管理データを前記記憶部に記憶しており、前記第２の入力スイッチによって前記非制御モードに切り替えられている場合には、前記第１の入力スイッチに所定の入力パターンが与えられると、前記保守管理データを前記表示部に表示すること、
を特徴とする表示機能付きスイッチ装置。
【請求項２】
請求項１の表示機能付きスイッチ装置において、
前記制御部は、所定の入力パターンとして複数のパターンを記憶しており、いずれかが選択された場合には、該当する保守管理データを前記表示部に表示すること、
を特徴とする表示機能付きスイッチ装置。
【発明の詳細な説明】
【技術分野】
【０００１】
この発明は、表示機能付きスイッチ装置に関し、特に、保守の容易化に関するものである。
【背景技術】
【０００２】
特許文献１には、ＣＰＵを内蔵したスイッチ装置が開示されている。かかるスイッチ装置では、一定の押下回数が経過したか否かをスイッチ装置が判断し、経過した場合には警告がなされる。
【先行技術文献】
【特許文献】
【０００３】
【特許文献１】特開平9-298020号公報
【発明の概要】
【発明が解決しようとする課題】
【０００４】
上記特許文献１に開示されたスイッチ装置では、所定回数を超えた場合に警告表示するとともに、外部の制御機器に対してこの警告を出力することが可能である。しかし、保守点検者が任意のタイミングで、現在の押下回数を把握したい場合には、外部の制御機器より情報を読み出すことは可能であるが、スイッチ装置単体で情報を得ることができないという問題があった。
【０００５】
かかる問題を解決するために、長押しがなされた場合には、押し下げ回数問い合わせモードであると判定することも考えられるが、スイッチを長押しする必要がある。これでは、このスイッチに接続されている制御対象機器の状態が変更されてしまうという問題がある。
【０００６】
かかる問題は、スイッチの押下回数だけでなく、当該スイッチの使用頻度によって変更される保守管理データについても同様である。
【０００７】
この発明は、上記の問題点を解決して、制御対象機器の状態を変更することなく、保守管理データを表示できる表示機能付きスイッチ装置を提供することを目的とする。
【課題を解決するための手段】
【０００８】
(1)本発明にかかる表示機能付きスイッチ装置は、1)接続された制御対象機器を選択状態（オン）または非選択状態（オフ）に切り替えるための第１の入力スイッチ、2)前記選択状態を表す選択状態画像データおよび前記非選択状態を表す非選択状態画像データを記憶する記憶部、3)前記第１の入力スイッチが、前記選択状態である場合には前記選択状態画像データを表示部に表示し、前記第１の入力スイッチが前記非選択状態である場合には前記非選択状態画像データを表示部に表示する制御部、を備えた表示機能付きスイッチ装置において、4)前記第１の入力スイッチを前記制御対象機器と切り離した非制御モードに切り替える第２の入力スイッチを備え、5)前記制御部は、保守管理データを前記記憶部に記憶しており、前記第２の入力スイッチによって前記非制御モードに切り替えられている場合には、前記第１の入力スイッチに所定の入力パターンが与えられると、前記保守管理データを前記表示部に表示する。
【０００９】
したがって、前記第２の入力スイッチにより前記第１の入力スイッチを前記非制御モードにすることにより、前記第１の入力スイッチに所定パターンの入力を行って保守管理データを表示することができる。その際、第１の入力スイッチは前記制御対象機器と切り離されているので、操作をしても、制御対象機器への影響がない。
【００１０】
(2)本発明にかかる表示機能付きスイッチ装置においては、前記制御部は、所定の入力パターンとして複数のパターンを記憶しており、いずれかが選択された場合には、該当する保守管理データを前記表示部に表示する。したがって、複数の保守管理データを表示させることができる。
【００１１】
特許請求の範囲に用いた用語の意義について説明する。「保守管理データ」とは、保守管理において必要なデータであり、これには、第１の入力スイッチの使用に伴って変化する保守管理のためのデータを含む。実施形態では、「押下回数」、「交換予定日」、「ＩＤ」、「スイッチの型番(製造番号)」、「ロットナンバー」、「問い合わせ先」等が該当する。また、「第１の入力スイッチ」とは、実施形態では「液晶上部スイッチ４１」が該当する。「非制御モード」とは実施形態では「メンテナンスモード」が該当する。「第２の入力スイッチ」とは、実施形態では「モード切替用ディップスイッチ４４」が該当する。「表示部」とは、実施形態ではＬＣＤ３３が該当するが、ＬＣＤに限らず、たとえば、所定のパターンで複数のＬＥＤを配置して構成することもできる。
【００１２】
「制御対象機器」とは、多機能スイッチ制御対象機器が該当する。
【図面の簡単な説明】
【００１３】
【図１】この発明の一実施形態による多機能スイッチ１のハード構成を示す図である。
【図２】メモリ２７に記憶されたフローチャートである。
【図３】通常モードの表示例である。
【図４】特殊モードの表示例である。
【発明を実施するための形態】
【００１４】
図１に、この発明の一実施形態による表示機能付きスイッチ装置である多機能スイッチ１のハード構成を示す。
【００１５】
多機能スイッチ１は、マイコン３０、ＬＣＤ３３、液晶上部スイッチ４１、モード切替用ディップスイッチ４４，ＲＳ４８５ドライバＩＣ３７、接続用コネクタ３９を備えている。
【００１６】
液晶上部スイッチ４１は、接続された多機能スイッチ制御対象機器５１の状態を切り替える。モード切替用ディップスイッチ４４は、多機能スイッチ制御対象機器５１と液晶上部スイッチ４１の間に直列接続されている。
【００１７】
マイコン３０は、ＣＰＵ２３、メモリ２７（フラッシュメモリ・ＲＡＭ）、ＵＡＲＴ２５、Ｉ／Ｏ２９、ＬＣＤコントローラ３１を備えている。
【００１８】
Ｉ／Ｏ２９には、液晶上部スイッチ４１，およびモード切替用ディップスイッチ４４が接続されている。Ｉ／Ｏ２９には、接点４１ｂ，４４ｂの状態が与えられる。
【００１９】
ＣＰＵ２３は、メモリ２７に記憶されたメインプログラムによる処理を実行する。具体的には、上記２つのスイッチ４１，４４の状態に基づき、ＬＣＤコントローラ３１に表示制御命令を行う。ＬＣＤコントローラ３１は、この表示制御命令を受けてＬＣＤ３３に所定の画像を表示する。かかる処理については後述する。
【００２０】
ＵＡＲＴ２５はＲＳ４８５規格のシリアルデータ／パラレルデータの変換を行う。ＲＳ４８５ドライバＩＣ３７は、ＲＳ４８５規格の信号レベルへの変換を行う。これにより、多機能スイッチ１は、接続用コネクタ３９に接続されたケーブルを介して、外部機器であるパソコン１４０と、データ通信を行うことができる。なお、パソコン１４０との間でＲＳ４８５変換器を設けてもよい。
【００２１】
多機能スイッチ１１１，１１２，１１３は多機能スイッチ１と同様の構成をしており、それぞれ、多機能スイッチ制御対象機器１２１，１２２、１２３の制御を行う。また、多機能スイッチ１と同様に、ケーブルを介して、パソコン１４０とデータ通信を行う。また、多機能スイッチ間でデータ通信も可能である。
【００２２】
つぎに、メモリ２７に記憶されたプログラムによる処理について図２を用いて説明する。                                            
【００２３】
まず、モード切替用ディップスイッチ４４を「通常モード(オン状態)」にした場合について説明する。
【００２４】
ＣＰＵ２３は、Ｉ／Ｏ２９を介して、モード切替用ディップスイッチ４４における接点４４ｂの状態を検出している(図２ステップＳ１）。
【００２５】
この場合、モード切替用ディップスイッチ４４は「通常モード(オン状態)」であるので、接点４４ａはオン状態である。これにより、液晶上部スイッチ４１と多機能スイッチ制御対象機器５１と接続され、液晶上部スイッチ４１の操作により、多機能スイッチ制御対象機器５１がオンオフ制御される。
【００２６】
また、ＣＰＵ２３は、Ｉ／Ｏ２９を介して液晶上部スイッチ４１の接点４１ｂの状態を検出している(図２ステップＳ３）。ＣＰＵ２３は、液晶上部スイッチ４１がオン（選択状態）である場合には、予め記憶されているオン画像を表示するように、ＬＣＤコントローラ３１に命令を与える(図２ステップＳ５)。一方、ＣＰＵ２３は、液晶上部スイッチ４１がオフ（非選択状態）である場合には、予め記憶されているオフ画像を表示するように、ＬＣＤコントローラ３１に命令を与える(図２ステップＳ７)。かかる通常モードは、従来と同様である。これにより、図３に示すように、オン画像およびオフ画像がＬＣＤ表示される。
【００２７】
つぎに、モード切替用ディップスイッチ４４を「メンテナンスモード」にした場合について説明する。
【００２８】
ＣＰＵ２３は、Ｉ／Ｏ２９を介して、モード切替用ディップスイッチ４４における接点４４ｂの状態を検出している(図２ステップＳ１）。
【００２９】
この場合、モード切替用ディップスイッチ４４は「メンテナンスモード(オフ状態)」であるので、接点４４ａはオフ状態である。よって、液晶上部スイッチ４１と多機能スイッチ制御対象機器５１とが切断される。これにより、多機能スイッチ制御対象機器５１の状態を変更することなく、液晶上部スイッチ４１を操作することが可能となる。
【００３０】
ＣＰＵ２３は、Ｉ／Ｏ２９を介して液晶上部スイッチ４１の接点４１ｂへの入力パターンを検出する(図２ステップＳ１１）。ＣＰＵ２３は、液晶上部スイッチ４１への入力パターンが第１パターンである場合には、押下回数表示処理を行うようＬＣＤコントローラ３１に命令を与える(図２ステップＳ１３)。押下回数表示処理について、簡単に説明する。メモリ２７は、累積カウント数記憶領域を有する。ＣＰＵ２３は、スイッチ４１が１回押し下げられると、この累積カウント数記憶領域に記憶された値Ｒをインクリメントしている。この累積カウント数記憶領域に記憶された値Ｒを読み出して、これをＬＣＤコントローラ３１に与えることにより、図４Ａに示すように、現在までの押下回数を表示させることができる。
【００３１】
一方、ＣＰＵ２３は、液晶上部スイッチ４１への入力パターンが第２パターンである場合には、交換予定日表示処理を行うようＬＣＤコントローラ３１に命令を与える(図２ステップＳ１５)。
【００３２】
交換予定日表示処理の詳細について説明する。メモリ２７には、既に説明した累積カウント数記憶領域に加えて、上限カウント数記憶領域、および、使用開始から現在までの日数を記憶する総日数記憶領域を有する。上限カウント数記憶領域には、使用回数の上限値Ｔが予め記憶されている。総日数記憶領域には、ＣＰＵ２３により、使用開始から現在までの日数Ｄｃが記憶されている。また、メモリ２７には、既に説明したように、累積カウント数である値Ｒｃが記憶されている。
【００３３】
これらの値から、下記式により、現在から交換予定日までの日数Ｄｘを予想することができる。
【００３４】
Ｄｘ＝Ｄｃ＊Ｔ／Ｒｃ
このＤｘを現在の日付に加算することにより、交換予定日が演算できる。この交換予定日をＬＣＤコントローラ３１に与えることにより、図４Ｂに示すように、交換予定日を表示させることができる。
【００３５】
なお、本実施形態においては、第１パターンとして、トン（例えば1秒間押す）・トン・ツー（例えば2秒間押す）という入力データを、第２パターンとして、トン・トン・トン・ツーという入力パターンを採用したが、これに限定されるわけではない。
【００３６】
以上説明したように、本実施形態においては、モード切替用ディップスイッチ４４を設け、このスイッチ４４が、メンテナンスモードである場合には、液晶上部スイッチ４１の入力パターンを判断して、第１パターンである場合には、総押下回数を読み出してきてこれを表示、第２パターンである場合には、総押下回数の履歴に基づき交換予定日を予想して、これを表示する。このようにして、多機能スイッチ１の保守管理をすることができる。
【００３７】
また、モード切替用ディップスイッチ４４は、多機能スイッチ制御対象機器５１と液晶上部スイッチ４１の間に直列接続されている。したがって、モード切替用ディップスイッチ４４をメンテナンスモードに切り換えることにより、液晶上部スイッチ４１と多機能スイッチ制御対象機器５１とが切り離されるので、液晶上部スイッチ４１を操作しても、多機能スイッチ制御対象機器５１への影響がない。
【００３８】
なお、本実施形態においては、液晶上部スイッチ４１へ入力される入力パターンを２つ記憶しておくことにより、２種類の表示が可能である。しかしこれに限定されず、１つのみでもよく、さらに、３種類以上のパターンを記憶しておき、これらを表示可能に構成してもよい。例えば、第３パターンとして、トン・ツーであれば、当該スイッチのＩＤ表示をする等である。ＩＤ表示とは、通信を行う場合のスイッチ固有のデータが該当する。このＩＤをメモリ２７に予め記憶しておき、読み出すようにすればよい。なお、その他、スイッチの型番(製造番号)、ロットナンバー、問い合わせ先等についても、第４のパターン・・・として表示するようにしてもよい。
【００３９】
また、本実施形態においては、非制御モードについて、液晶上部スイッチと多機能スイッチ制御対象機器の間に、ディップスイッチを接続する構成によって、ハード的に制御対象機器を切り離したが、これに代えて、液晶上部スイッチと多機能スイッチ制御対象機器との間にディップスイッチを接続せずに、マイコン３０に全ての情報を集中させ、いずれの状態かを判断させて、状況に応じて、多機能スイッチ制御対象機器への出力を制御する構成にすることによってソフト的に制御対象機器を切り離してもよい。
【００４０】
本実施形態においては、表示部として液晶部を用いた場合について説明したが、表示部として、たとえば、ＬＥＤなどを用いてもよい。
【００４１】
また、表示部である液晶の上に、液晶上部スイッチ４１を設けた場合について説明したが、これに限定されない。
【００４２】
本多機能スイッチは、機器制御、自動販売機、券売機など種々の機器に使用することができる。
【００４３】
また、本実施形態においては、液晶上部スイッチおよび多機能スイッチ制御対象機器は、いずれも、メカ的な系統と、マイコン入力系統の２系統で構成している。これにより、マイコンが壊れても、表示部への表示ができないだけで、スイッチとしての機能は損なわないというメリットがある。
【００４４】
上記実施形態においては、各機能を実現する為に、ＣＰＵを用い、ソフトウェアによってこれを実現している。しかし、その一部若しくは全てを、ロジック回路等のハードウェアによって実現してもよい。
【図１】
2010232128.tif 000003
【図２】
2010232128.tif 000004
【図３】
2010232128.tif 000005
【図４】
2010232128.tif 000006